(57)【要約】【課題】  メーンバーナの一部分をパイロットバーナ部としている予混合式ガスバーナにおいて、パイロット火炎の燃焼安定性を向上させ、パイロット火炎が吹き消えるなどの不具合発生を防止する。【解決手段】  燃焼用空気と燃料ガスを混合しておき、バーナ先端に設けた燃焼プレート７から混合ガスを噴射することによって燃焼プレート下流側で燃焼を行う予混合式ガスバーナであって、バーナ内の一部を仕切板１０によって区画し、区画した部分にパイロットガスノズル９を設けることでバーナの一部分をパイロットバーナ部とし、パイロットバーナ部分の燃焼プレート下流側にパイロット火炎１１を発生させる構成の予混合式ガスバーナにおいて、パイロットバーナ部内のパイロットガスノズル９先端と燃焼プレート７の間にじゃま板６を設ける。【選択図】図１
2005265344.tif 000002
【特許請求の範囲】
【請求項１】
燃焼用空気と燃料ガスを混合しておき、バーナ先端に設けた燃焼プレートから混合ガスを噴射することによって燃焼プレート下流側で燃焼を行う予混合式ガスバーナであって、バーナ内の一部を仕切板によって区画し、区画した部分にパイロットガスノズルを設けることでバーナの一部分をパイロットバーナ部とし、パイロットバーナ部分の燃焼プレート下流側にパイロット火炎を発生させる構成の予混合式ガスバーナにおいて、パイロットバーナ部内のパイロットガスノズル先端と燃焼プレートの間にじゃま板を設けたことを特徴とするパイロットバーナ部を持った予混合式ガスバーナ。
【請求項２】
請求項１に記載のパイロットバーナ部を持った予混合式ガスバーナにおいて、パイロットバーナ部内のパイロットガスノズル先端と燃焼プレートの間に設けるじゃま板は、パイロットガスノズルよりも径が大きく、燃焼プレートとは平行なものであり、燃焼プレートとじゃま板の間隔は１０mm以下となるように配置したことを特徴とするパイロットバーナ部を持った予混合式ガスバーナ。
【発明の詳細な説明】
【技術分野】
【０００１】
本発明はパイロットバーナ部を持った予混合式ガスバーナに関するものである。
【背景技術】
【０００２】
特許第２９８０５３３号公報に記載しているように、バーナのウインドボックス内に燃焼用空気と燃料ガスを導入し、燃焼用空気流れ方向下流側のウインドボックス先端に設けた燃焼プレートの下流で燃焼を行う予混合式ガスバーナが知られている。このバーナは、ウインドボックス内の壁面近くにパイロットガスノズルを設け、パイロットガスノズルを囲むように仕切り板を設けることでメーンバーナの一部分をパイロットバーナ部としている。
【０００３】
このバーナの場合、メイン燃焼時には、混合室内全体で燃料と空気を混合し、燃焼プレート全面で燃焼を行うため、火炎の吹き消えはあまり発生しない。しかし、パイロットガスノズルからのみ燃料を供給するパイロット燃焼の場合、燃料供給量が少ないためにパイロット火炎の安定性は比較的低いものとなり、パイロット火炎が吹き消えることがあった。パイロットバーナ部へ入る空気量を制限することで火炎が吹き消える確率を減少させることはできるが、それでも火炎が吹き消えるおそれがあった。
【特許文献１】特許第２９８０５３３号公報
【発明の開示】
【発明が解決しようとする課題】
【０００４】
本発明が解決しようとする課題は、メーンバーナの一部分をパイロットバーナ部としている予混合式ガスバーナにおいて、パイロット火炎の燃焼安定性を向上させ、パイロット火炎が吹き消えるなどの不具合発生を防止することにある。
【課題を解決するための手段】
【０００５】
請求項１に記載の発明は、燃焼用空気と燃料ガスを混合しておき、バーナ先端に設けた燃焼プレートから混合ガスを噴射することによって燃焼プレート下流側で燃焼を行う予混合式ガスバーナであって、バーナ内の一部を仕切板によって区画し、区画した部分にパイロットガスノズルを設けることでバーナの一部分をパイロットバーナ部とし、パイロットバーナ部分の燃焼プレート下流側にパイロット火炎を発生させる構成の予混合式ガスバーナにおいて、パイロットバーナ部内のパイロットガスノズル先端と燃焼プレートの間にじゃま板を設けたことを特徴とするパイロットバーナ部を持った予混合式ガスバーナである。
【０００６】
請求項２に記載の発明は、前記のパイロットバーナ部を持った予混合式ガスバーナにおいて、パイロットバーナ部内のパイロットガスノズル先端と燃焼プレートの間に設けるじゃま板は、パイロットガスノズルよりも径が大きく、燃焼プレートとは平行なものであり、燃焼プレートとじゃま板の間隔は１０mm以下となるように配置したことを特徴とするパイロットバーナ部を持った予混合式ガスバーナである。
【発明の効果】
【０００７】
本発明を実施することにより、パイロット火炎の燃焼安定性が向上するため、パイロット火炎が吹き消えるなどの不具合発生を防止することができる。
【発明を実施するための最良の形態】
【０００８】
図１は本発明を実施している予混合式ガスバーナの一部切り欠き図、図２は図１のＡ−Ａ断面図である。バーナは元側に送風機１を設け、先側に燃焼プレート７を設けているものであり、燃焼プレート７には多数の小孔を開けている。燃焼時には、燃焼プレート７の手前に配しているウインドボックス４内に燃焼用空気と燃料ガスを導入して混合し、燃焼用空気流れ方向下流側の燃焼プレート７から混合ガスを噴射することにより燃焼プレート７の下流側で燃焼を行う予混合式ガスバーナである。ウインドボックス４内には、中心軸から外れた位置であって燃焼プレート７の手前部分にパイロットガスノズル９を設ける。パイロットガスノズル９の周囲には、パイロットガスが拡散するのを防止する仕切板１０を設けることでパイロットバーナ部を形成する。
【０００９】
バーナへ燃料を供給する燃料供給経路は、途中でメーンガス供給配管２とパイロットガス供給配管５に分岐しておき、メーンガスを供給するメーンガス供給配管２は、燃焼用空気流の比較的上流側で燃焼用空気と燃料を混合するようにウインドボックス４の上流部に設けているメインガスノズル（図示せず）に接続し、パイロットガス供給配管５は前記のパイロットガスノズル９に接続する。メーンガス供給配管２の途中にはメーン電磁弁８、パイロットガス供給配管５の途中にはパイロット電磁弁３を設けておき、メーン電磁弁８及びパイロット電磁弁３の作動は制御装置１２によって制御する。
【００１０】
パイロットバーナ部内のパイロットガスノズル９先端と燃焼プレート７の間にじゃま板６を設ける。じゃま板６は、パイロットガスノズル９よりも径が大きなものとし、燃焼プレート７とは平行であって、燃焼プレート７からの距離は１０mm以下となるように配置しておく。
【００１１】
パイロット燃焼を行う場合、制御装置１２は送風機１を稼働することによってウインドボックス４へ燃焼用空気を送り込み、パイロット電磁弁３を開くことによってパイロットガスノズル９へ燃料ガスを供給する。ウインドボックス４へ送り込んだ燃焼用空気は、燃焼プレート７へ向けて流れ、その一部は仕切板１０で囲んでいるパイロットバーナ部に入る。パイロットガスノズル９からはパイロットガスを噴射し、パイロットガスはパイロットガスノズル９の周囲を流れている燃焼用空気と混合して混合ガスとなる。パイロットバーナ部でも燃焼用空気は燃焼プレート７の方向へ向けて流しているため、混合ガスも燃焼プレート７へ流れる。
【００１２】
しかし、パイロットガスノズル９と燃焼プレート７の間にパイロットガスノズル９よりも径の大きなじゃま板６を設けているため、パイロットガスノズル９に沿って流れていた混合ガスの流れはじゃま板６に衝突することとなり、じゃま板６を回避するためにじゃま板６の周方向へ流れる。
【００１３】
また、燃焼プレート７とじゃま板６の間隔は１０mm以下としているため、じゃま板６の周囲を通過した混合ガスがじゃま板６の裏側へ入り込む量は少なくなっている。そのため、じゃま板６の直下から燃焼プレート７へ向かう混合ガスの流量及び流速は低下する。
【００１４】
燃焼プレート７に達したパイロットバーナ部の混合ガスは、燃焼プレート７に設けている小孔を通して噴射し、燃焼プレート７の下方でパイロット火炎１１を発生させる。この時、じゃま板６の直下から燃焼プレート７へ向かう混合ガスの流量と流速が低下してると、じゃま板６直下の燃焼プレート７から噴射する混合ガスの勢いが低下するため、燃焼プレート７の下流側に形成するパイロット火炎の保炎効果を高めることができる。
【００１５】
さらに、じゃま板６はパイロットガスノズル９の径よりも大きくしており、混合ガスがじゃま板６の周囲を通過する際に流れの変化が生じるため、混合ガス流には乱流が発生することになる。乱流が発生すると、燃料ガスと燃焼用空気の混合性が高くなるため、燃焼した際の燃焼性が向上する。パイロット火炎１１は、じゃま板６によって保炎効果と燃焼性向上効果が得られているため、吹き消えなどの不具合が発生しにくいものとなる。
【００１６】
なお、メイン燃焼を行う場合は、パイロット火炎１１を燃焼させている状態でメーン電磁弁８を開くことで行う。メインガスを供給するとウインドボックス４内の全体が燃料ガスと燃焼用空気を混合した混合ガスとなり、燃焼プレート７の全面から混合ガスを噴射することになるため、燃焼プレート７の全面で燃焼することになる。
【図面の簡単な説明】
【００１７】
【図１】本発明を実施している予混合式ガスバーナの一部切り欠き図
【図２】図１のＡ−Ａ断面図
【符号の説明】
【００１８】
１  送風機      
２  メーンガス供給配管      
３  パイロット電磁弁
４  ウインドボックス      
５  パイロットガス供給配管            
６  じゃま板        
７  燃焼プレート
８  メーン電磁弁
９  パイロットガスノズル
１０  仕切板
１１  パイロット火炎 
１２  制御装置     
【図１】
2005265344.tif 000003
【図２】
2005265344.tif 000004